(57)【要約】      （修正有）【課題】コストアップや製品外形を大型化することなく、外部から飛び込む磁束の影響を低減可能とするコモンモードチョークコイルを提供する。【解決手段】トロイダルコアを覆う樹脂ケース１６に、ノーマルモード電流に対し磁束が互いに打消しあうように一対の巻線１８ａ、１８ｂが巻き回されており、トロイダルコアの周囲を囲んでループ状に銅箔テープ２２が配置される。銅箔テープは、トロイダルコアの周囲を囲んで配置された絶縁物として機能する樹脂ケース２０の外側に張り付けられてテープ端部が電気的に接合されており、ループ状の銅箔テープの軸心線３０と同方向からの外部磁束２６を受けると、銅箔テープのループに誘導電流が流れることで、巻線をシールドする。【選択図】図１
2018018865.tif 000002
【特許請求の範囲】
【請求項１】
トロイダルコアを覆う樹脂ケースに、ノーマルモード電流に対し磁束が互いに打消しあうように複数の巻線が巻き回されたコモンモードチョークコイルに於いて、
前記複数の巻き線が巻き回された前記トロイダルコアの周囲を囲んでループ状に導電体が配置されたことを特徴とするコモンモードチョークコイル。
【請求項２】
請求項１記載のコモンモードチョークコイルに於いて、前記導電体は、前記トロイダルコアの軸心線に対し前記導電体の軸心線が直交するように配置され、導電体ループの軸心線と同方向からの外部磁界により前記導電体ループに誘導電流を流して前記巻線をシールドするように構成されたことを特徴とするコモンモードチョークコイル。
【請求項３】
請求項１記載のコモンモードチョークコイルに於いて、前記導電体は非強磁性材質の金属で作られたことを特徴とするコモンモードチョークコイル。
【請求項４】
請求項１記載のコモンモードチョークコイルに於いて、前記導電体は銅箔テープであり、前記トロイダルコアの周囲を囲んで配置された絶縁テープを含む絶縁物の外側に貼り付けられてテープ端部が電気的に接合されたことを特徴とするコモンモードチョークコイル。
【請求項５】
請求項１記載のコモンモードチョークコイルに於いて、前記導電体は銅板又は銅箔であり、前記トロイダルコアの周囲を囲んで配置された矩形の樹脂ケースの外側に配置されたことを特徴とするコモンモードチョークコイル。
【発明の詳細な説明】
【技術分野】
【０００１】
本発明は、ノイズフィルタに設けられてノイズを除去するコモンモードチョークコイルに関する。
【背景技術】
【０００２】
従来、コモンモードチョークコイルとコンデンサで構成されるノイズフィルタは、電源ラインや通信ライン等を経由して外部から電子機器内に侵入するノイズにより電子機器が誤動作することを防止する装置であり、電子機器にとって必要不可欠である。
【０００３】
図７に正面及び側面で示すように、ノイズフィルタに使用されるコモンモードチョークコイル１００は、樹脂ケース１０２にトロイダルコアが収納されており、トロイダルコアを覆うコア樹脂ケース１０２に一対の巻線１０４ａ，１０４ｂがノーマルモード電流に対し磁束が互いに打消しあうように巻き回されており、端子１０８が取り出された台座１０６に取り付けられている。
【０００４】
図８はコモンモードチョークコイルを使用したノイズフィルタ回路であり、ＡＣ入力端子１１０ａ，１１０ｂとＡＣ出力端子１１２ａ，１１２ｂの間には、コモンモードチョークコイル１００を挟んで、相間コンデンサ１１４をライン間に接続し、各ラインは接地コンデンサ１１６を介してＦＧ端子により接地されている。コモンモードチョークコイル１００はＡＣ入力端子１１０ａ，１１０ｂとＡＣ出力端子１１２ａ，１１２ｂの間に接続されて低域のコモンモードノイズを減衰させる。
【０００５】
相間コンデンサ１１４はコモンモードチョークコイル１００の入力側及び出力側のライン間に接続されて主に低域のノーマルモードノイズを減衰させる。接地コンデンサ１１６はライン・グランド間に接続されて主に高域のコモンモードノイズを減衰させる。
【先行技術文献】
【特許文献】
【０００６】
【特許文献１】特開２０１２−１００００２号公報
【特許文献２】特開２００２−０５７０４７号公報
【発明の概要】
【発明が解決しようとする課題】
【０００７】
しかしながら、このような従来のコモンモードチョークコイルにあっては、トロイダルコアに巻き回された巻線１０４ａ，１０４ｂの向きが一方向ではなく多数の方向を向いており、外部から飛び込む磁束の影響を受けやすい構造となっていたため、外部からの磁束は、巻線１０４ａ，１０４ｂによって電流に変換され、交流電源ラインにノイズとして流してしまう問題点があった。
【０００８】
図８（Ａ）は外部からの磁束１２０がコモンモードチョークコイル１００の巻線１０４ａ，１０４ｂに均等に飛び込む場合であり、磁束１２０によって巻線１０４ａ，１０４ｂに発生する電流の向きはノーマルモード電流ｉ１となって交流電源ラインに流れる。
【０００９】
図８（Ｂ）は、外部から磁束１２０がコモンモードチョークコイル１００の一方の巻線１０４ａに飛び込み、巻線１０４ａ，１０４ｂに飛び込む磁束のバランスが崩れた場合であり、磁束１２０によって巻線１０４ａに発生する電流の向きはコモンモード電流ｉ２となって交流電源ラインに流れる。
【００１０】
この問題に対して、コモンモードチョークコイルに外部から磁束が飛び込まないように、周辺を強磁性体で覆う方法、磁束の発生源から遠ざける方法、相間コンデンサや接地コンデンサの容量を大きくする方法といった対策をとっているが、部品材料のコストアップ、製品外形の大型化といった問題を発生させている。
【００１１】
また、従来技術として、コモンモードチョークコイル自身が発生する漏洩磁束を、漏洩磁束の方向に沿って設けられた帯状の磁気シールド部材によって吸収させるものがある（特許文献２）。
【００１２】
しかしながら、コモンモードチョークコイルの一部分を磁気シールドで覆った構造では、磁気シールドから露出している巻線の部分に外部からの磁束が飛び込んだ場合、図７及び図８に示した従来のコモンモードチョークコイル１００と同様、飛び込んだ磁束を電流に変換し、交流電源ラインにノイズ電流として流してしまう問題がある。
【００１３】
本発明は、コストアップや製品外形を大型化することなく、外部から飛び込む磁束影響を低減可能とするコモンモードチョークコイルを提供することを目的とする。
【課題を解決するための手段】
【００１４】
（コモンモードチョークコイル）
本発明は、トロイダルコアを覆う樹脂ケースに、ノーマルモード電流に対し磁束が互いに打消しあうように複数の巻線が巻き回されたコモンモードチョークコイルに於いて、
複数の巻線が巻き回されたトロイダルコアの周囲を囲んでループ状に導電体が配置されたことを特徴とする。
【００１５】
（トロイダルコアと導電体の配置関係）
導電体は、トロイダルコアの軸心線に対し導電体ループの軸心線が直交するように配置され、導電体の軸心線と同方向からの外部磁界により導電体ループに誘導電流を流して巻線をシールドするように構成される。
【００１６】
（導電体の材質）
導電体は非強磁性材質の金属で作られる。
【００１７】
（銅箔テープ）
導電体は銅箔テープであり、トロイダルコアの周囲を囲んで配置された絶縁テープを含む絶縁物の樹脂ケースの外側に貼り付けられてテープ端部が電気的に接合される。
【００１８】
（銅板又は銅箔）
導電体は銅板又は銅箔であり、トロイダルコアの周囲を囲んで配置された矩形の樹脂ケースの外側に配置される。
【発明の効果】
【００１９】
（基本的な効果）
本発明は、トロイダルコアを覆う樹脂ケースに、ノーマルモード電流に対し磁束が互いに打消しあうように複数の巻線が巻き回されたコモンモードチョークコイルに於いて、複数の巻線が巻き回されたトロイダルの周囲を囲んでループ状に導電体が配置されたため、外部からの磁束が導電体に飛び込むと、導電体で誘導電流に変換されてループ電流が流れ、これによって巻線に到達する磁束が弱められ、交流電源ラインに流れるノイズ電流を低減できる。また、トロイダルコアの周囲を囲んでループ状に導電体を配置するだけで良いことから、構造が簡単であり、部品材料のコストアップや製品外形の大型化といった問題を抑制することができる。
【００２０】
（トロイダルコアと導電体の配置関係による効果）
また、導電体は、トロイダルコアの軸心線に対し導電体ループの軸心線が直交するように配置され、導電体の軸心線と同方向からの外部磁界により導電体ループに誘導電流を流して巻線をシールドするように構成したため、導電体の軸心線と同方向からの外部磁界の飛び込みに対し効率よくループ電流に変換して、巻線に対する磁束の影響を弱めて交流電源ラインに流れるノイズ電流を低減できる。
【００２１】
（導電体の材質による効果）
また、導電体は銅などの導電性の高い非強磁性材質の金属で作られているため、外部から受けた磁束を効率よく導電体ループに流れる誘導電流に変換することで、巻線に対する磁束の影響を弱めることを可能とする。
【００２２】
（銅箔テープによる効果）
また、導電体は銅箔テープであり、トロイダルコアの周囲を囲んで配置された絶縁テープを含む絶縁物の外側に貼り付けられてテープ端部が電気的に接合されるようにしたため、トロイダルコアの外側に配置される樹脂ケースに銅箔テープを巻くという簡単な構造により実現でき、部品材料のコストアップや製品外形の大型化といった問題を抑制することができる。
【００２３】
（銅板又は銅箔による効果）
また、導電体は銅板又は銅箔であり、トロイダルコアの周囲を囲んで配置された矩形の樹脂ケースの外側に配置されるようにしたため、トロイダルコアの外側に配置される樹脂ケースの外側に銅板や銅箔を配置するという簡単な構造により実現でき、銅箔テープの場合と同様、部品材料のコストアップや製品外形の大型化といった問題を抑制することができる。
【図面の簡単な説明】
【００２４】
【図１】導電体として銅箔テープを用いたコモンモードチョークコイルの第１実施形態を正面及び側面から示した説明図
【図２】図１の実施形態の製造組立の例を示した説明図
【図３】導電体として銅板を用いたコモンモードチョークコイルの第２実施形態を正面及び側面から示した説明図
【図４】図３の実施形態の組立分解状態を示した説明図
【図５】図４の銅板を外周に配置した樹脂ケースを取り出して正面、平面及び側面から示した説明図
【図６】トロイダルコアを横に配置したコモンモードチョークコイルの第３実施形態を示した説明図
【図７】従来のコモンモードチョークコイルを正面及び側面から示した説明図
【図８】コモンモードチョークコイルを用いたノイズフィルタ回路を示した回路図
【発明を実施するための形態】
【００２５】
［コモンモードチョークコイルの第１実施形態］
図１は導電体として銅箔テープを用いたコモンモードチョークコイルの第１実施形態を正面及び側面から示した説明図である。
【００２６】
図１（Ａ）に示すように、本実施形態のコモンモードチョークコイル１０は、端子１４を備えた台座１２の上に、一対の巻線１８ａ，１８ｂが巻き回まわされ、内部にトロイダルコアを収納したコア樹脂ケース１６が取付けられている。コア樹脂ケース１６の巻線１８ａ，１８ｂは、ノーマルモード電流に対し磁束が互いに打消しあうように巻き回されている。
【００２７】
巻線１８ａ，１８ｂが巻き回されたトロイダルコアのコア樹脂ケース１６の周囲を囲んで、上下に開口した箱形の樹脂ケース２０が配置され、樹脂ケース２０の外側には、ループ状の導電体として機能する銅箔テープ２２が貼り付けられており、銅箔テープ２２は図１（Ｂ）に示すように、テープ端部が接合部２４により電気的に接合されており、帯状の導電体矩形ループ状が形成されている。
【００２８】
ここで、ループ状に配置された銅箔テープ２２は、コア樹脂ケース１６の中心、即ちトロイダルコアの中心を横方向に通る軸心線に対し、銅箔テープ２２のループ中心を縦方向に通る軸心線３０が直交するように配置され、銅箔テープ２２のループ中心の軸心線３０と同方向からの外部磁束２６を受けた場合に、銅箔テープ２２のループに誘導電流が流れるように構成している。
【００２９】
また、銅箔テープ２２は非強磁性材質であり、導体ループに直交する方向から磁束を受けた場合に、磁束に直交する導体ループに誘導電流が流れることになり、これにより外部からの磁束のエネルギーは銅箔テープ２２のループを流れる誘導電流に変換されて弱まり、その内に配置されているコア樹脂ケース１６に巻かれた巻線１８ａ，１８ｂを外部磁束２６からシールドすることができ、交流電源ラインに流れるノイズ電流を抑制可能とする。
【００３０】
図２は図１の実施形態の製造組立の例を示した説明図である。図２に示すように、本実施形態のコモンモードチョークコイル１０の製造組立は、従来と同様に、端子１４を備えた台座１２に、一対の巻線１８ａ，１８ｂが巻き回まわされ、内部にトロイダルコアを収納したコア樹脂ケース１６を取付けたコイルアッセンブリィ１０ａを準備し、また、上下に開口した樹脂ケース２０の外側に、銅箔テープ２２を貼り付け、テープ端部をはんだ付け等により接合して準備する。
【００３１】
続いて、銅箔テープ２２が貼り付けられた樹脂ケース２０を、コイルアッセンブリィ１０ａにおけるコア樹脂ケース１６の外側に嵌め入れて台座１２側に固定する。
【００３２】
このように本実施形態は、従来のコモンモードチョークコイルと同じ構成のコイルアッセンブリィ１０ａの外側に、銅箔テープ２２を張り付けた樹脂ケース２０を配置するという簡単な構造で済み、部品材料の増加は僅かで済むことからコストアップが少なく、製品外形が大型化することもない。
【００３３】
［コモンモードチョークコイルの第２実施形態］
図３は導電体として銅板を用いたコモンモードチョークコイルの第２実施形態を正面及び側面から示した説明図、図４は図３の実施形態の組立分解状態を示した説明図、図５は図４の銅板を外周に配置した樹脂ケースを取り出して正面、平面及び側面から示した説明図である。
【００３４】
図３に示すように、本実施形態のコモンモードチョークコイル１０は、トロイダルコアを収納したコア樹脂ケース１６の外側を囲んでループ状に配置する導電体として、樹脂ケース２０の外側に、矩形に形成された薄い銅板２８を嵌合したことを特徴とする。なお、銅板２８に代えて、矩形に形成された銅箔を嵌合しても良い。それ以外の構成は図１の第１実施形態と同じになる。
【００３５】
図４に示すように、本実施形態のコモンモードチョークコイル１０の製造組立は、従来のコモンモードチョークコイルと同じ構成のコイルアッセンブリィ１０ａの外側に、銅板２８が嵌合された樹脂ケース２０を配置するという簡単な構造で済み、部品材料の増加は僅かで済ことからコストアップが少なく、製品外形が大型化することもない。
【００３６】
また図５に示すように、樹脂ケース２０は上下に開口した箱形ケースであり、その外側を囲んでループ状に銅板２８が嵌合されており、簡単な構造であることからコストアップも少なく、製品外形も大型化することもない。
【００３７】
［コモンモードチョークコイルの第３実施形態］
図６はトロイダルコアを横に配置したコモンモードチョークコイルの第３実施形態を示した説明図である。
【００３８】
図６に示すように、本実施形態のコモンモードチョークコイル１０は、端子１４を備えた台座１２の上に、一対の巻線１８ａ，１８ｂが巻き回まわされ、内部にトロイダルコアを収納したコア樹脂ケース１６が横置きして取付けられている。
【００３９】
台座１２に横置きされた巻線１８ａ，１８ｂが巻き回されたトロイダルコアのコア樹脂ケース１６に対しては、側方及び上側を囲んで下側に開口したコ字形の樹脂ケース３０が嵌め入れられ、樹脂ケース３０の外側から台座１２の下側にかけて銅箔テープ２２を巻きまわして貼り付け、例えば、台座１２の下側に位置するテープ端部を、はんだ付け等により電気的に接合している。
【００４０】
ここで、ループ状に縦置き配置された銅箔テープ２２は、コア樹脂ケース１６の中心、即ちトロイダルコアの中心を横方向に通る軸心線に対し、銅箔テープ２２のループ中心を横方向に通る軸心線３０が直交するように配置され、銅箔テープ２２のループ中心の軸心線３０と同方向からの外部磁束２６を受けた場合に、銅箔テープ２２のループに誘導電流が流れ、これにより外部からの磁束のエネルギーは銅箔テープ２２のループを流れる誘導電流に変換されて弱まり、その内に配置されているコア樹脂ケース１６に巻かれた巻線１８ａ，１８ｂを外部磁束２６からシールドすることができ、交流電源ラインに流れるノイズ電流を抑制可能とする。
【００４１】
［本発明の変形例］
上記の実施形態は単相のコモンモードチョークコイルを例にとっているが、これに限定されず、使用する交流の相数、巻線数に対応した適宜のコモンモードチョークコイルが含まれる。
【００４２】
また、上記の実施形態は導電体の材質として銅を例にとっているが、銅以外に銅合金やアルミニウム等の非磁性の導電材質としても良い。
【００４３】
また、図１及び図２に示した第１実施形態における樹脂ケース２０に代えて、絶縁テープとしても良い。
【００４４】
また、本発明はその目的と利点を損なうことのない適宜の変形を含み、更に上記の実施形態に示した数値による限定は受けない。
【符号の説明】
【００４５】
１０：コモンモードチョークコイル
１０ａ：コイルアッセンブリィ
１２：台座
１４：端子
１６：コア樹脂ケース
１８ａ，１８ｂ：巻線
２０，３０：樹脂ケース
２２：銅箔テープ
２４：接合部
２６：磁束方向
【図１】
2018018865.tif 000003
【図２】
2018018865.tif 000004
【図３】
2018018865.tif 000005
【図４】
2018018865.tif 000006
【図５】
2018018865.tif 000007
【図６】
2018018865.tif 000008
【図７】
2018018865.tif 000009
【図８】
2018018865.tif 000010